(57)【要約】【課題】尾引が発生し易い状態のときに転写フィルムの搬送速度を調整することにより、転写フィルムが切れることを抑制すること。【解決手段】画像記録装置１は、カードを搬送する搬送ローラ２９、搬送ローラ３０、搬送ローラ３７及び搬送ローラ３８から構成される記録媒体搬送手段と、転写フィルム４６を搬送する供給スプール４７及び巻取スプール４８から構成される転写フィルム搬送手段と、転写フィルム搬送手段により搬送される転写フィルム４６に形成された画像を記録媒体搬送手段により搬送されるカードに熱転写させる転写プラテン３１及び転写ローラ３３と、カードの搬送方向の後端部の形状に応じて、記録媒体搬送手段によるカードの搬送速度と転写フィルム搬送手段による転写フィルム４６の搬送速度との少なくとも一方を調整する制御ＣＰＵ７０と、を有する。【選択図】図１
2020082428.tif 000002
【特許請求の範囲】
【請求項１】
転写フィルムに形成された画像を記録媒体に転写して記録する画像記録装置であって、
前記記録媒体を搬送する記録媒体搬送手段と、
前記転写フィルムを搬送する転写フィルム搬送手段と、
前記転写フィルム搬送手段により搬送される前記転写フィルムに形成された画像を前記記録媒体搬送手段により搬送される前記記録媒体に熱転写させる転写手段と、
前記記録媒体の搬送方向の後端部の形状に応じて、前記記録媒体搬送手段による前記記録媒体の第１の搬送速度と前記転写フィルム搬送手段による前記転写フィルムの第２の搬送速度との少なくとも一方を調整する制御手段と、
を有することを特徴とする画像記録装置。
【請求項２】
前記制御手段は、
ダレを生じている前記形状である場合にはダレを生じていない前記形状である場合に比べて、前記少なくとも一方を調整して前記第１の搬送速度と前記第２の搬送速度との差を大きくする、
ことを特徴とする請求項１に記載の画像記録装置。
【請求項３】
前記転写手段により画像が熱転写された前記記録媒体から前記転写フィルムを剥離する剥離手段を有し、
前記制御手段は、
前記記録媒体の搬送方向の後端が前記転写手段を通過してから前記剥離手段に到達するまでの間に、前記少なくとも一方を調整する、
ことを特徴とする請求項１又は請求項２に記載の画像記録装置。
【請求項４】
前記形状に関する情報を取得する取得手段を有し、
前記制御手段は、
前記取得手段により取得した前記情報により特定される前記形状に応じて前記少なくとも一方を調整する、
ことを特徴とする請求項１から請求項３のいずれか１項記載の画像記録装置。
【請求項５】
前記記録媒体搬送手段により搬送される前記記録媒体を検出するセンサを有し、
前記制御手段は、
前記センサによる検出結果に基づいて前記形状を判定する、
ことを特徴とする請求項１から請求項４のいずれか１項に記載の画像記録装置。
【請求項６】
前記センサは、
前記記録媒体の表面を検出する第１のセンサと、前記録媒体の裏面を検出する第２のセンサと、から構成され、
前記制御手段は、
前記第１のセンサの前記検出結果と前記第２のセンサの前記検出結果とを比較して前記形状を判定する、
ことを特徴とする請求項５記載の画像記録装置。
【請求項７】
前記センサは、
光を出射すると共に前記光の反射光を受光し、
前記制御手段は、
前記検出結果である前記反射光の強度に基づいて前記形状を判定する、
ことを特徴とする請求項５又は請求項６に記載の画像記録装置。
【請求項８】
前記制御手段は、
前記検出結果より前記記録媒体の端部を検出し、前記端部の検出時間に応じて前記形状を判定する、
ことを特徴とする請求項５から請求項７のいずれか１項に記載の画像記録装置。
【請求項９】
前記検出時間と前記第１の搬送速度又は前記第２の搬送速度に関するパラメータとを対応付けたテーブルを記憶する記憶手段を有し、
前記制御手段は、
前記テーブルにおいて前記検出結果である前記検出時間に対応付けられている前記パラメータにより前記少なくとも一方を調整する、
ことを特徴とする請求項８に記載の画像記録装置。
【請求項１０】
前記制御手段は、
前記転写手段により前記記録媒体の表面及び裏面のいずれか一方に画像を転写する際において前記少なくとも一方を調整している場合には、前記転写手段により前記記録媒体の表面及び裏面のいずれか他方に画像を転写する際に前記第１の搬送速度及び前記第２の搬送速度を調整せず、前記転写手段により前記いずれか一方に画像を転写する際において前記第１の搬送速度及び前記第２の搬送速度を調整していない場合には、前記いずれか他方に画像を転写する際に前記少なくとも一方を調整する、
ことを特徴とする請求項１から請求項９のいずれか１項に記載の画像記録装置。
【請求項１１】
前記制御手段は、
前記少なくとも一方の調整を段階的に行う、
ことを特徴とする請求項１から請求項１０のいずれか１項に記載の画像記録装置。
【発明の詳細な説明】
【技術分野】
【０００１】
本発明は、カード等の記録媒体に対して転写フィルムに形成された画像を転写して記録する画像記録装置に関する。
【背景技術】
【０００２】
従来、プラスチックカード等の記録媒体に対して顔写真又は文字情報等の画像を形成する装置が広く知られている。このような装置としては、記録媒体に直接画像を形成する装置と、転写フィルムに画像を形成した後に転写フィルムに形成した画像を記録媒体に転写する装置と、が知られている。
【０００３】
記録媒体に対して転写フィルムに形成した画像を転写する上記の装置では、インクリボンから転写フィルムにインクを転写する一次転写の際に、記録媒体の隅々まで印刷がされるように、記録媒体への転写領域よりも広い範囲にインクを転写する。そして、二次転写では、転写フィルムから記録媒体にインク層を転写する際に、転写フィルムの記録媒体への転写領域よりも外側のインク層部分が余分に剥がれて、記録媒体に転写されてしまう場合がある。このような場合に、記録媒体の記録領域からはみ出してインク層が転写される尾引きと呼ばれる状態になり、特に記録媒体の搬送方向の後端部に生じる尾引きにより画像品位が低下して見栄えが悪くなる。
【０００４】
このような尾引きが出やすい条件は、記録媒体の端部形状によるものが大きい。記録媒体の端部が大きくダレているときは尾引きが出やすく、記録媒体の端部があまりダレていないときは尾引きを生じ難くなる。ここで、ダレとは、湾曲した形状である。
【０００５】
記録媒体の端部がダレている際に尾引きを生じ易い理由は、記録媒体の搬送方向の後端部が転写フィルムから剥離する際に、記録媒体の搬送方向の後端部のダレている部分に十分に負荷をかけられないためであると考えられる。記録媒体の搬送方向の後端部に十分に負荷を掛けるために、やや尖った形状の部材で記録媒体の端部に負荷をかける構成を採用した場合には、インク層が切れやすくなる。
【０００６】
これに対して、特許文献１は、転写後の記録媒体の後端側の仕上がりの良い転写装置を開示している。特許文献１の転写装置は、画像転写中は記録媒体の搬送速度よりも転写フィルムの搬送速度を速くして記録媒体よりも上流側の転写フィルムを弛ませておく。そして、特許文献１の転写装置は、記録媒体の後端が画像転写部を通過して剥離部材に到達するまでの間に、転写フィルム送り出し手段による転写フィルムの搬送速度を遅くして転写フィルムの弛み量を少なくする。これにより、転写フィルムの搬送速度を調整してカードの搬送方向の後端部の尾引きを低減することができる。
【先行技術文献】
【特許文献】
【０００７】
【特許文献１】特開２０１６−０５２７４４号公報
【発明の概要】
【発明が解決しようとする課題】
【０００８】
しかしながら、特許文献１においては、常に転写フィルムの搬送速度を調整するため、転写フィルムに対して常に大きな張力がかかる場合に、転写フィルムが切れる恐れがあるという課題を有する。
【０００９】
本発明の目的は、尾引が発生し易い状態のときに転写フィルムの搬送速度を調整することにより、転写フィルムが切れることを抑制することができる画像転写装置を提供することである。
【課題を解決するための手段】
【００１０】
本発明の画像転写装置は、転写フィルムに形成された画像を記録媒体に転写して記録する画像記録装置であって、前記記録媒体を搬送する記録媒体搬送手段と、前記転写フィルムを搬送する転写フィルム搬送手段と、前記転写フィルム搬送手段により搬送される前記転写フィルムに形成された画像を前記記録媒体搬送手段により搬送される前記記録媒体に熱転写させる転写手段と、前記記録媒体の搬送方向の後端部の形状に応じて、前記記録媒体搬送手段による前記記録媒体の第１の搬送速度と前記転写フィルム搬送手段による前記転写フィルムの第２の搬送速度との少なくとも一方を調整する制御手段と、を有することを特徴とする。
【発明の効果】
【００１１】
本発明によれば、尾引が発生し易い状態のときに転写フィルムの搬送速度を調整することにより、転写フィルムが切れることを抑制することができる。
【図面の簡単な説明】
【００１２】
【図１】本発明の実施の形態１に係る画像記録装置の模式図である。
【図２】本発明の実施の形態１に係る画像形成装置の構成を示すブロック図である。
【図３】本発明の実施の形態１に係る画像形成装置の２次転写部の模式図である。
【図４】本発明の実施の形態１に係る画像記録処理を示すフロー図である。
【図５】本発明の実施の形態１に係る画像記録装置により画像を記録するカードの端部の形状を示す図である。
【図６】本発明の実施の形態２に係る画像記録装置の模式図である。
【図７】本発明の実施の形態２に係る画像記録処理示すフロー図である。
【図８】本発明の実施の形態２に係る画像記録装置のセンサからの出射光と反射光とを示す図である。
【図９】本発明の実施の形態２に係る画像記録装置のセンサで受光した反射光の強度を示す図である。
【図１０】本発明の実施の形態３に係る画像記録処理を示すフロー図である。
【図１１】本発明の実施の形態４に係る画像記録処理を示すフロー図である。
【図１２】本発明の実施の形態５に係る画像記録処理を示すフロー図である。
【図１３】本発明の実施の形態５に係る画像記録処理で使用するテーブルの一例を示す図である。
【図１４】本発明の実施の形態６に係る画像記録処理を示すフロー図である。
【発明を実施するための形態】
【００１３】
以下、本発明の実施の形態について図面を参照して詳細に説明する。
【００１４】
（実施の形態１）
＜画像記録装置の構成＞
本発明の実施の形態１に係る画像記録装置１の構成について、図１を参照しながら、詳細に説明する。
【００１５】
画像記録装置１は、記録媒体としての各種証明用のＩＤカード又は商取引用のクレジットカード等のカードに画像情報を記録する。具体的には、画像記録装置１は、情報記録部Ａと、画像形成部Ｂと、カード供給部Ｃと、カード収容部Ｄと、制御部Ｈと、を有している。
【００１６】
情報記録部Ａは、カード供給部Ｃより供給されるカードに各種の情報を記録して画像形成部Ｂに向けて搬送する。
【００１７】
画像形成部Ｂは、情報記録部Ａよりもカードの搬送方向（以下、単に「搬送方向」と記載する）の下流側に設けられている。画像形成部Ｂには、搬入経路Ｐ１が設けられている。画像形成部Ｂは、情報記録部Ａから搬入経路Ｐ１に搬送されてくるカードを搬送し、搬入経路Ｐ１を搬送するカードの表面、又は表面及び裏面に、顔写真又は文字データ等の画像を形成し、画像を形成したカードをカード収容部Ｄに向けて搬送する。
【００１８】
カード供給部Ｃは、カードカセット３に複数枚のカードを収納し、カードカセット３に収納する複数枚のカードを、分離ローラ９とピックアップローラ１９とで１枚ずつ分離して情報記録部Ａの反転ユニットＦに順次供給する。
【００１９】
カード収容部Ｄは、画像形成部Ｂよりも搬送方向の下流側に設けられ、画像形成部Ｂより搬送されてくるカードを収容スタッカ５５に搬出して収容する。収容スタッカ５５は、昇降機構５６と図示しないレベルセンサの検出結果とによって、カードの収容量に応じて昇降する。
【００２０】
制御部Ｈは、画像記録装置１の全体の動作を制御する。
【００２１】
＜情報記録部の構成＞
本発明の実施の形態１に係る画像記録装置１の情報記録部Ａの構成について、図１を参照しながら、詳細に説明する。
【００２２】
情報記録部Ａは、ローラ対２０と、ローラ対２１と、搬入ローラ２２と、搬送ローラ２９と、搬送ローラ３０と、反転ユニットＦと、を備えている。
【００２３】
ローラ対２０は、反転ユニットＦに回転自在に支持されており、図示しない搬送モータによって正転方向又は逆転方向に回転する。ローラ対２０は、搬入ローラ２２によって搬送されるカードを反転ユニットＦ内に搬入し、又は反転ユニットＦ内に搬入されるカードを画像形成部Ｂに向けて搬送する。ローラ対２０は、反転ユニットＦ内に搬入されるカードをニップする。
【００２４】
ローラ対２１は、反転ユニットＦに回転自在に支持されており、図示しない搬送モータによって正転方向又は逆転方向に回転する。ローラ対２１は、搬入ローラ２２によって搬送されるカードを反転ユニットＦ内に搬入し、又は反転ユニットＦ内に搬入されるカードを画像形成部Ｂに向けて搬送する。ローラ対２１は、反転ユニットＦ内に搬入されるカードをニップする。
【００２５】
搬入ローラ２２は、カード供給部Ｃのカードカセット３から供給されるカードを反転ユニットＦに向けて搬送する。
【００２６】
搬送ローラ２９は、搬入経路Ｐ１に設けられ、搬入経路搬送モータ制御回路７５ｂによって制御されるステッピングモータ等の図示しない搬送モータに連結されている。搬送ローラ２９は、この搬送モータが駆動することにより正転方向又は逆転方向に回転する。搬送ローラ２９は、反転ユニットＦから搬送ローラ３０に向けてカードを搬送し、又は搬送ローラ３０から反転ユニットＦに向けてカードを搬送する。
【００２７】
搬送ローラ３０は、搬入経路Ｐ１に設けられ、搬入経路搬送モータ制御回路７５ｂによって制御されるステッピングモータ等の図示しない搬送モータに連結されている。搬送ローラ３０は、この搬送モータが駆動することにより正転方向又は逆転方向に回転する。搬送ローラ３０は、搬送ローラ２９から画像形成部Ｂに向けてカードを搬送し、又は画像形成部Ｂから搬送ローラ２９に向けてカードを搬送する。
【００２８】
反転ユニットＦは、搬入経路Ｐ１に配置されていると共に、装置フレームに旋回動可能に支持されており、反転ユニット旋回モータ制御回路７５ａによって制御されるパルスモータ等の図示しない旋回モータによって所定角度方向に旋回動する。
【００２９】
＜画像形成部の構成＞
本発明の実施の形態１に係る画像記録装置１の画像形成部Ｂの構成について、図１を参照しながら、詳細に説明する。
【００３０】
画像形成部Ｂは、転写プラテン３１と、ピンチローラ３２ａと、ピンチローラ３２ｂと、転写ローラ３３と、ガイドコロ３４ａと、剥離コロ３４ｂと、デカール機構３６と、搬送ローラ３７と、搬送ローラ３８と、を備えている。また、画像形成部Ｂは、サーマルヘッド４０と、インクリボンカセット４２と、プラテンローラ４５と、移送ローラ４９と、フィルムカセット５０と、支持ピン５１と、センサＳｅ２と、センサＳｅ３と、を備えている。ここで、転写プラテン３１と転写ローラ３３とは、転写フィルム４６に形成された画像をカードに熱転写する転写手段を構成している。
【００３１】
転写プラテン３１には、転写フィルム４６を挟んで転写ローラ３３が対向配置されている。転写プラテン３１は、搬送ローラ２９、搬送ローラ３０、搬送ローラ３７及び搬送ローラ３８を駆動するステッピングモータと同一のステッピングモータによって駆動される。ここで、搬送ローラ２９、搬送ローラ３０、搬送ローラ３７及び搬送ローラ３８は、カードを搬送する記録媒体搬送手段を構成している。
【００３２】
転写プラテン３１は、搬送ローラ３０により搬入経路Ｐ１を搬送されるカードとフィルムカセット５０より搬送されてくる転写フィルム４６とを、転写ローラ３３との間で挟持して搬送し、転写フィルム４６に形成された画像をカードに転写する。
【００３３】
ピンチローラ３２ａは、移送ローラ４９に対向して配置されている。
【００３４】
ピンチローラ３２ｂは、移送ローラ４９に対向して配置されている。
【００３５】
転写ローラ３３は、ヒートローラで構成されており、転写フィルム４６上に形成された画像をカードに加熱圧接して転写する。転写ローラ３３は、転写ローラ昇降部７４ｆによって、フィルムカセット５０の内側から転写プラテン３１に圧接し、又は転写プラテン３１から離間するように移動可能になっている。
【００３６】
ガイドコロ３４ａは、転写プラテン３１よりも搬送方向の上流側に設けられていると共にフィルムカセット５０に取り付けられており、転写プラテン３１に転写フィルム４６を案内する。
【００３７】
剥離手段としての剥離コロ３４ｂは、転写プラテン３１よりも搬送方向の下流側に設けられていると共にフィルムカセット５０に取付けられており、転写フィルム４６をカードから剥離する。ガイドコロ３４ａと剥離コロ３４ｂとの間隔Ｌ１は、カードの搬送方向の長さＬｃより短く（Ｌ１＜Ｌｃ）設定されている。剥離コロ３４ｂは、剥離コロ昇降部７４ｈによって昇降可能になっている。
【００３８】
デカール機構３６は、搬送ローラ３７と搬送ローラ３８との間に配置されており、搬送ローラ３７と搬送ローラ３８との間に保持されたカードの中央部を押圧してカードに生じたカールを矯正する。デカール機構３６は、カム等の図示しない昇降機構によって図１において上下方向に移動可能に構成されている。
【００３９】
搬送ローラ３７は、搬出経路搬出モータ制御回路７５ｃによって制御される図示しない搬送モータ（ステッピングモータ）に連結されている。搬送ローラ３７は、画像形成部Ｂの搬送方向の下流側において収容スタッカ５５にカードを移送する搬出経路Ｐ２に設けられ、この搬送モータが駆動することにより動作してカードを搬送する。搬送ローラ３０と搬送ローラ３７との間の距離は、転写処理以外の通常搬送時にカードを搬送できるように、カードの搬送方向の長さＬｃよりも短い距離に設定されている。
【００４０】
搬送ローラ３８は、搬出経路搬出モータ制御回路７５ｃによって制御される図示しない搬送モータ（ステッピングモータ）に連結されている。搬送ローラ３８は、搬出経路Ｐ２に設けられ、この搬送モータが駆動することにより動作してカードを搬送する。なお、搬送ローラ３７及び搬送ローラ３８に代えて搬送ベルトにしてもよい。
【００４１】
サーマルヘッド４０は、インクリボン４１及び転写フィルム４６を介してプラテンローラ４５に対向して配置されている。
【００４２】
インクリボンカセット４２は、画像記録装置１のハウジングに着脱自在に装着されており、インクリボン４１を操出ロール４３と巻取ロール４４との間に巻装して収容している。インクリボンカセット４２は、インクリボン４１の位置を検出するセンサＳｅ１を備えている。
【００４３】
操出ロール４３には、図示しないワインドモータ（ＤＣモータ）が連結されている。
【００４４】
巻取ロール４４には、ＤＣモータであるインクリボンワインドモータＭｒ１が連結されている。巻取ロール４４は、インクリボンワインドモータＭｒ１が駆動することによってサーマルヘッド４０の熱制御と同期して回転して、インクリボン４１を所定速度で巻き取る。
【００４５】
プラテンローラ４５は、フィルムカセット５０に装填された転写フィルム４６を走行させて、インクリボン４１によって転写フィルム４６に画像を形成する。
【００４６】
移送ローラ４９は、転写フィルム４６の移送ローラであり、図示しない駆動モータ（ステッピングモータ）に連結されている。
【００４７】
フィルムカセット５０は、画像記録装置１のハウジングに着脱自在に装着されている。フィルムカセット５０は、供給スプール４７と、巻取スプール４８と、を備えている。
【００４８】
転写フィルム搬送手段としての供給スプール４７は、ＤＣモータである転写フィルムワインドモータＭｒ２に連結されている。供給スプール４７は、転写フィルムワインドモータＭｒ２が駆動することにより動作して、転写フィルム４６を供給して搬送すると共に、プラテンローラ４５上で画像が形成された転写フィルム４６を転写プラテン３１と転写ローラ３３との間に移送する。
【００４９】
巻取スプール４８は、図示しないＤＣモータに連結されている。巻取スプール４８は、このＤＣモータが駆動することにより動作して、転写プラテン３１と転写ローラ３３との間でカードに画像を転写した転写フィルム４６を巻き取る。
【００５０】
支持ピン５１は、剥離コロ３４ｂの搬送方向の下流側直後に設けられており、カードの転写面側を支持する。支持ピン５１は、剥離コロ３４ｂとの間で一定の位置関係を保持している。支持ピン５１は、転写ローラ昇降部７４ｆによって、搬出経路Ｐ２に位置する状態と搬出経路Ｐ２から退避する状態との間で移動可能になっている。
【００５１】
センサＳｅ２は、転写フィルム４６の有無を検出する。
【００５２】
センサＳｅ３は、カードを検出する。
【００５３】
上記の構成を有する画像形成部Ｂにおいて、サーマルヘッド４０により転写フィルム４６に画像を形成するユニットを１次転写部、及び１次転写部で転写フィルム４６に形成した画像を転写ローラ３３によりカードに転写するユニットを２次転写部という。２次転写部には、転写ローラ３３、転写プラテン３１、ガイドコロ３４ａ、剥離コロ３４ｂ及び支持ピン５１が配置されている。
【００５４】
＜制御部の構成＞
本発明の実施の形態１に係る画像記録装置１の制御部Ｈの構成について、図２を参照しながら、詳細に説明する。
【００５５】
制御部Ｈは、制御ＣＰＵ７０と、ＲＯＭ７１と、ＲＡＭ７２と、データ入力制御部７３と、画像形成制御部７４と、カード搬送制御部７５と、印刷データ入出力部７６と、を備えている。
【００５６】
制御手段としての制御ＣＰＵ７０は、パソコン等の図示しない上位装置から印刷データ入出力部７６を介して入力される印刷データに基づいて、カードの端部の形状を判定する。制御ＣＰＵ７０は、ＲＯＭ７１に記憶している制御プログラム及び制御データと、センサＳｅ１、センサＳｅ２及びセンサＳｅ３から入力される検出結果と、カードの端部の形状の判定結果と、に基づいて、後述の画像記録処理を実行する。制御ＣＰＵ７０は、画像記録処理を実行してデータ入力制御部７３、画像形成制御部７４及びカード搬送制御部７５を制御することにより、制御部Ｈ全体の動作を制御する。
【００５７】
ＲＯＭ７１は、制御プログラム及び制御データを予め記憶している。
【００５８】
ＲＡＭ７２は、情報記録部Ａ等においてカードにデータ入力する処理時間を記憶している。この処理時間は、例えばデータテーブルに記憶されている。
【００５９】
データ入力制御部７３は、情報記録部Ａの図示しない磁気記録部に内蔵されているデータＲ／Ｗ用のＲ／Ｗ制御用ＩＣ７３ａに入力データの送受信を制御するコマンド信号を出力する。データ入力制御部７３は、情報記録部Ａの図示しないＩＣ記録部のデータＲ／Ｗ用のＲ／Ｗ制御用ＩＣ７３ｂにコマンド信号を出力する。
【００６０】
画像形成制御部７４は、ヘッドコントロール用ＩＣ７４ａ、インクリボンワインドモータＭｒ１、転写フィルムワインドモータＭｒ２及びシフトモータドライブ回路７４ｄを制御して、画像形成部Ｂでカードに画像を形成する制御を行う。
【００６１】
ヘッドコントロール用ＩＣ７４ａは、サーマルヘッド４０に連結され、画像データに従ってサーマルヘッド４０を加熱制御する。
【００６２】
シフトモータドライブ回路７４ｄは、シフトカム７４ｅを介して転写ローラ昇降部７４ｆを動作させる。シフトモータドライブ回路７４ｄは、ドライブカム７４ｇを介して剥離コロ昇降部７４ｈを動作させる。
【００６３】
カード搬送制御部７５は、制御ＣＰＵ７０の制御により、反転ユニット旋回モータ制御回路７５ａを制御して反転ユニットＦの動作を制御する。カード搬送制御部７５は、制御ＣＰＵ７０の制御により、搬入経路搬送モータ制御回路７５ｂを制御して搬送ローラ２９及び搬送ローラ３０の動作を制御する。カード搬送制御部７５は、カード搬送制御部７５は、制御ＣＰＵ７０の制御により、搬出経路搬出モータ制御回路７５ｃを制御して搬送ローラ３７及び搬送ローラ３８の動作を制御する。
【００６４】
取得手段としての印刷データ入出力部７６は、パソコン等の上位装置に接続されている。
【００６５】
＜２次転写部の動作＞
本発明の実施の形態１に係る画像記録装置１の２次転写部の動作について、図３を参照しながら、詳細に説明する。
【００６６】
制御ＣＰＵ７０は、カードＫの搬送方向の後端（以下、単に「後端」と記載する）が支持ピン５１を通過するタイミングで、剥離コロ昇降部７４ｈにより剥離コロ３４ｂを作動位置から退避位置に移動させる。また、制御ＣＰＵ７０はカードＫの後端が支持ピン５１を通過するタイミングで、転写ローラ昇降部７４ｆにより支持ピン５１を作動位置から退避位置に移動させる。
【００６７】
これにより、２次転写部は、図３（ｂ）に示す状態となり、カードＫの両面に印刷を行う際に、反転ユニットＦに向けてカードＫをスイッチバック搬送させた時にカードＫが支持ピン５１又は剥離コロ３４ｂに衝突することを防止することができる。また、転写ローラ３３を作動位置から退避位置に移動させることにより、転写フィルム４６に過剰の熱が作用して変形する恐れをなくすることができ、転写フィルム４６を剥離する際の転写不良の発生を防ぐことができる。
【００６８】
次に、制御ＣＰＵ７０は、センサＳｅ３の検出結果に基づいて、カードＫの搬送方向の先端（以下、単に「先端」と記載する）が転写プラテン３１に到達するまでの見込み時間を求める。制御ＣＰＵ７０は、求めた見込み時間が経過する前に、転写ローラ３３を退避位置から作動位置に移動させる。また、これと前後して、制御ＣＰＵ７０は、剥離コロ昇降部７４ｈにより剥離コロ３４ｂを退避位置から作動位置に移動させ、転写ローラ昇降部７４ｆにより支持ピン５１を退避位置から作動位置に移動させる。これにより、２次転写部は、図３（ａ）に示す状態になる。
【００６９】
次に、転写プラテン３１及び転写ローラ３３は、所定速度で到達するカードＫの先端から後端に向けて画像を転写する。
【００７０】
次に、制御ＣＰＵ７０は、センサＳｅ３の検出結果に基づいて、カードＫの後端が転写ローラ３３を通過するまでの見込み時間を求める。制御ＣＰＵ７０は、求めた見込み時間が経過した後に、転写ローラ３３を退避位置に移動させる。これにより、転写フィルム４６は、ガイドコロ３４ａと剥離コロ３４ｂとに支持され、その一部はカードＫの表面に打擲した状態となる。そして、転写フィルム４６は、カードＫが排出方向に移動するのに伴って、カードＫの表面から徐々に剥離される。その際に、カードＫの先端は、支持ピン５１に支持される。
【００７１】
この画像転写の過程において、転写フィルム４６は、カードＫの先端から後端までカードＫの表面に対して一定の剥離角度β方向（図３（ａ）参照）に引き剥がされる。従って、カードＫに転写された画像に斑が生ずることがない。
【００７２】
＜画像記録処理＞
本発明の実施の形態１に係る画像記録処理について、図４及び図５を参照しながら、詳細に説明する。
【００７３】
カードＫの端部の形状は、図５に示す断裁方法によりカードＫを上刃でカットして作成する場合に、片側の面はダレ面となり、反対側の面はバリ面となる。そこで、ユーザーは、カードＫの端部を触って、カードＫの端部がダレ面であるのか又はバリ面であるのかを判断し、転写される面がダレ面であるのかバリ面であるのかの情報をパソコン等の上位装置で設定する。
【００７４】
まず、画像記録装置１は、パソコン等の上位装置から印刷データ入出力部７６を介して印刷データを受信する（Ｓ１）。この印刷データには、ユーザーによって設定された転写される面がダレ面であるのかバリ面であるのかの形状に関する情報が含まれている。
【００７５】
次に、画像記録装置１は、カードＫをカード供給部Ｃから一枚ずつ反転ユニットＦに供給する（Ｓ２）。この際に、制御ＣＰＵ７０は、転写ローラ３３を発熱させて所定の温度に保持する。
【００７６】
次に、制御ＣＰＵ７０は、カード搬送制御部７５を介して搬入経路搬送モータ制御回路７５ｂを制御して、搬送ローラ２９及び搬送ローラ３０によってカードＫの搬送を開始する（Ｓ３）。
【００７７】
次に、制御ＣＰＵ７０は、ステップＳ１で受信した印刷データに含まれる情報によって形状を特定し、カードＫの転写される面がダレ面であるか否かを判定する（Ｓ４）。
【００７８】
制御ＣＰＵ７０は、カードＫの転写される面がバリ面である場合に（Ｓ４：Ｎｏ）、転写フィルム４６及びインクリボン４１をサーマルヘッド４０及びプラテンローラ４５で圧接及び加熱して、転写フィルム４６に画像を形成する一次転写を行う（Ｓ５）。この際に、転写フィルム４６は、インクリボン４１の各色を転写フィルム４６の画像形成領域に重ねて印刷するため、供給スプール４７、巻取スプール４８及び移送ローラ４９によって往復搬送される。
【００７９】
次に、制御ＣＰＵ７０は、二次転写を開始する（Ｓ６）。
【００８０】
次に、制御ＣＰＵ７０は、カード搬送制御部７５を介して搬入経路搬送モータ制御回路７５ｂ及び搬出経路搬出モータ制御回路７５ｃを制御して、カードＫの搬送速度をＶ１にする（Ｓ７）。搬送速度Ｖ１は、例えば２５．０ｍｍ／ｓｅｃである。
【００８１】
一方、カードＫの転写される面がダレ面である場合に（Ｓ４：Ｙｅｓ）、転写フィルム４６及びインクリボン４１をサーマルヘッド４０及びプラテンローラ４５で圧接及び加熱して、転写フィルム４６に画像を形成する一次転写を行う（Ｓ８）。この際に、転写フィルム４６は、インクリボン４１の各色を転写フィルム４６の画像形成領域に重ねて印刷するため、供給スプール４７、巻取スプール４８及び移送ローラ４９によって往復搬送される。
【００８２】
次に、制御ＣＰＵ７０は、二次転写を開始する（Ｓ９）。
【００８３】
次に、制御ＣＰＵ７０は、カード搬送制御部７５を介して搬入経路搬送モータ制御回路７５ｂ及び搬出経路搬出モータ制御回路７５ｃを制御して、カードＫの搬送速度をＶ２にする（Ｓ１０）。ここで、搬送速度Ｖ２は、搬送速度Ｖ１よりも大きい（Ｖ２＞Ｖ１）。搬送速度Ｖ２は、例えば２６．５ｍｍ／ｓｅｃである。
【００８４】
そして、制御ＣＰＵ７０は、二次転写を終了する（Ｓ１１）。この際に、制御ＣＰＵ７０は、センサＳｅ３の検出結果に基づいて、カードＫがセンサＳｅ３を通過してからの時間より搬送距離を算出し、この算出結果に基づいて二次転写を終了するタイミングを制御する。
【００８５】
制御ＣＰＵ７０は、ステップＳ６又はステップＳ８で二次転写を開始してからステップＳ１１で二次転写を終了するまでの間に、転写フィルム４６及びカードＫを転写プラテン３１及び転写ローラ３３で圧接及び加熱して、カードＫに画像を形成する。
【００８６】
次に、画像記録装置１は、カードＫを排出し（Ｓ１２）、カードＫの発行を終了し（Ｓ１３）、その後に画像記録処理を終了する。
【００８７】
このように、制御ＣＰＵ７０は、転写後のカードＫから転写フィルム４６を剥離する際に、カードＫの後端部の形状に応じてカードＫの搬送速度を変更する。
【００８８】
具体的には、カードＫのダレ面に転写した場合に、カードＫの後端よりも後方で尾引きが発生してしまうことがあり、カードＫの端部の美観を損ねてしまう。そこで、カードＫの後端部の形状がダレている場合には、ダレていない場合に比べて、カードＫの後端部が転写ローラ３３を通過してから剥離コロ３４ｂに到達するまでの間に、搬送ローラ３７及び搬送ローラ３８によるカードＫの搬送速度を速くする。
【００８９】
これにより、転写フィルム４６の単位時間当たりの搬送量に対する搬送ローラ３７及び搬送ローラ３８によるカードＫの単位時間当たりの搬送量を多くすることができる。即ち、転写フィルム４６の搬送速度（第２の搬送速度）に対する搬送ローラ３７及び搬送ローラ３８によるカードＫの搬送速度（第１の搬送速度）を速くする。この結果、カードＫの後端部がダレている場合において、転写フィルム４６のテンションが張られてカードＫの後端よりも移送ローラ４９側の転写フィルム４６の弛みを取ることができ、カードＫの後端の尾引きが発生し難くなる。
【００９０】
また、カードＫの後端部が転写ローラ３３を通過してから剥離コロ３４ｂに到達するまでの間にカードＫの搬送速度を速くすることにより、カードＫの搬送速度と転写フィルム４６の搬送速度との相対速度差を大きくした状態を最小限にすることができる。因みに、カードＫの搬送速度と転写フィルム４６の搬送速度との相対速度の差を常に大きくする場合には、転写フィルム４６が切れやすくなったり、部品の摩耗により劣化が進んだり、また画像の伸びが顕著に出る等の弊害がある。従って、上記の相対速度差を大きくすることは、できる限り最小限に抑えるのが好ましい。
【００９１】
例えば、カードＫの後端が転写ローラ３３を通過してから剥離コロ３４ｂに達するまでは、カードＫの移動距離は３２．７ｍｍであり、カードＫの搬送速度を２５ｍｍ／ｓｅｃ、及び転写フィルム４６の搬送速度を２４．５ｍｍ／ｓｅｃとなるように制御する。これにより、カードＫの後端が剥離コロ３４ｂを通過する際に、転写フィルム４６の弛みを解消することができ、カードＫの後端部の剥離位置がずれることがなく、良好な剥離を行うことができる。
【００９２】
上記の画像記録処理において、搬送ローラ３０、搬送ローラ３７、転写プラテン３１及び移送ローラ４９の各々はステッピングモータに連結されているため、制御ＣＰＵ７０は、カードＫ及び転写フィルム４６の搬送速度の制御を精度よく行うことができる。また、移送ローラ４９は転写フィルム４６を巻回するスプールではないため、制御ＣＰＵ７０は、ステッピングモータの駆動量をそのまま移送ローラ４９の回転量（転写フィルム４６の搬送速度）とすることができる。
【００９３】
このように、本実施の形態では、カードＫの後端部の形状に応じて、カードＫの搬送速度を調整することによりカードＫの搬送速度を調整する。これにより、尾引が発生し易い状態のときにカードＫの搬送速度を調整することにより、転写フィルム４６が切れることを抑制することができる。
【００９４】
また、本実施の形態によれば、転写される面がダレ面であるのかバリ面であるのかのユーザーによって設定された情報によりカードの後端部の形状を特定することにより、ユーザーの必要に応じてカードＫの搬送速度を調整することができる。
【００９５】
（実施の形態２）
＜画像記録装置の構成＞
本発明の実施の形態２に係る画像記録装置１００の構成について、図６を参照しながら、詳細に説明する。
【００９６】
なお、図６において、図１と同一構成である部分については同一符号を付して、その説明を省略する。
【００９７】
画像記録装置１００は、各種証明用のＩＤカード又は商取引用のクレジットカード等のカードに画像情報を記録する。具体的には、画像記録装置１００は、情報記録部Ａと、画像形成部Ｂと、カード供給部Ｃと、カード収容部Ｄと、制御部Ｈと、センサＳｅ４と、センサＳｅ５と、を有している。
【００９８】
画像記録装置１００は、カードの端部の形状を、ユーザーが確認するのではなく２つのセンサＳｅ４及びセンサＳｅ５で読み取って判断する。
【００９９】
第１のセンサとしてのセンサＳｅ４は、反射型センサであり、光を出射すると共に出射した光の反射光を受光して、受光した光量に応じた強度の信号を制御ＣＰＵ７０に出力する。
【０１００】
第２のセンサとしてのセンサＳｅ５は、反射型センサであり、光を出射すると共に出射した光の反射光を受光して、受光した光量に応じた強度の信号を制御ＣＰＵ７０に出力する。
【０１０１】
制御ＣＰＵ７０は、センサＳｅ４及びセンサＳｅ５から入力される信号に基づいて、カードの端部の形状を判定する。制御ＣＰＵ７０は、ＲＯＭ７１に記憶している制御プログラム及び制御データと、カードの端部の形状の判定結果と、に基づいて、データ入力制御部７３、画像形成制御部７４又はカード搬送制御部７５を制御することにより、制御部Ｈの全体の動作を制御する。
【０１０２】
＜画像記録処理＞
本発明の実施の形態２に係る画像記録処理について、図７から図９を参照しながら、詳細に説明する。
【０１０３】
まず、画像記録装置１００は、パソコン等の上位装置から印刷データを受信する（Ｓ２１）。
【０１０４】
次に、画像記録装置１００は、カードＫをカード供給部Ｃから一枚ずつ反転ユニットＦに供給する（Ｓ２２）。この際に、制御ＣＰＵ７０は、転写ローラ３３を発熱させて所定の温度に保持する。
【０１０５】
次に、制御ＣＰＵ７０は、カード搬送制御部７５を介して搬入経路搬送モータ制御回路７５ｂを制御して、搬送ローラ２９及び搬送ローラ３０によってカードＫの搬送を開始する（Ｓ２３）。
【０１０６】
次に、センサＳｅ４及びセンサＳｅ５の各々は、光を出射し、出射した光の反射光を検出する。これにより、センサＳｅ４及びセンサＳｅ５は、カードの先端又は後端が読み取り位置まで搬送された際に、カードの両面の端部を自動で検出する（Ｓ２４）。
【０１０７】
この際に、反射光の反射量は、カードが無い場合にはゼロとなり、カードが有る場合には最大量となる。また、カードの転写する面がエッジ面である場合には、センサＳｅ４又はセンサＳｅ５から出射される光の光量は、図８（ａ）に示すように、カードの先端がセンサＳｅ４又はセンサＳｅ５の検出位置まで搬送された際に分散されない。このため、反射光の反射量は、カードの先端がセンサＳｅ４又はセンサＳｅ５の検出位置まで搬送された際に、ゼロから急激に最大量となる。
【０１０８】
一方、カードの転写する面がダレ面である場合には、センサＳｅ４又はセンサＳｅ５から出射される光の光量は、図８（ｂ）に示すように、カードの先端がセンサＳｅ４又はセンサＳｅ５の検出位置まで搬送された際に分散される。このため、反射光の反射量は、ゼロから緩やかに変化する。
【０１０９】
センサＳｅ４及びセンサＳｅ５から制御ＣＰＵ７０に入力される信号の値は、バリ面である場合には図９（ａ）に示すように短い時間で一定になる一方、ダレ面である場合には図９（ｂ）に示すようにバリ面である場合に比べて長い時間を要して一定になる。従って、センサＳｅ４及びセンサＳｅ５から制御ＣＰＵ７０に入力される信号の値が変化してから一定になるまでの時間は、バリ面とダレ面とで異なる。
【０１１０】
よって、制御ＣＰＵ７０は、センサＳｅ４から入力される信号の値が変化し始めた時点をＴ１とすると共に一定になり始めた時点をＴ２とした際に、Ｔ１からＴ２までの検出時間（Ｔ２−Ｔ１）を算出する。また、制御ＣＰＵ７０は、センサＳｅ５から入力される信号の値が変化し始めた時点をＴ１とすると共に一定になり始めた時点をＴ２とした際に、Ｔ１からＴ２までの検出時間（Ｔ２−Ｔ１）を算出する。そして、制御ＣＰＵ７０は、センサＳｅ４及びセンサＳｅ５の各々から入力された信号より算出したＴ１からＴ２までの検出時間を比較し、一の面のＴ１からＴ２までの検出時間が他の面のＴ１からＴ２までの検出時間より大きいか否かを判定する（Ｓ２５）。
【０１１１】
制御ＣＰＵ７０は、他の面のＴ１からＴ２までの検出時間が一の面のＴ１からＴ２までの検出時間より大きい場合に（Ｓ２５：Ｎｏ）、一次転写を行う（Ｓ２６）。一次転写では、転写フィルム４６及びインクリボン４１をサーマルヘッド４０及びプラテンローラ４５で圧接及び加熱して、転写フィルム４６に画像を形成する。
【０１１２】
次に、制御ＣＰＵ７０は、二次転写を開始する（Ｓ２７）。
【０１１３】
次に、制御ＣＰＵ７０は、カード搬送制御部７５を介して搬入経路搬送モータ制御回路７５ｂ及び搬出経路搬出モータ制御回路７５ｃを制御して、カードＫの搬送速度をＶ１にする（Ｓ２８）。搬送速度Ｖ１は、例えば２５．０ｍｍ／ｓｅｃである。
【０１１４】
一方、制御ＣＰＵ７０は、一の面のＴ１からＴ２までの検出時間が他の面のＴ１からＴ２までの検出時間より大きい場合に（Ｓ２５：Ｙｅｓ）、一次転写を行う（Ｓ２９）。
【０１１５】
次に、制御ＣＰＵ７０は、二次転写を開始する（Ｓ３０）。
【０１１６】
次に、制御ＣＰＵ７０は、カード搬送制御部７５を介して搬入経路搬送モータ制御回路７５ｂ及び搬出経路搬出モータ制御回路７５ｃを制御して、カードＫの搬送速度をＶ２にする（Ｓ３１）。ここで、搬送速度Ｖ２は、搬送速度Ｖ１よりも大きい（Ｖ２＞Ｖ１）。搬送速度Ｖ２は、例えば２６．５ｍｍ／ｓｅｃである。
【０１１７】
そして、制御ＣＰＵ７０は、二次転写を終了する（Ｓ３２）。
【０１１８】
制御ＣＰＵ７０は、ステップＳ２７又はステップＳ３０で二次転写を開始してからステップＳ３２で二次転写を終了するまでの間に、転写フィルム４６及びカードＫを転写プラテン３１及び転写ローラ３３で圧接及び加熱して、カードＫに画像を形成する。
【０１１９】
次に、画像記録装置１は、カードＫを排出し（Ｓ３３）、カードＫの発行を終了し（Ｓ３４）、その後に画像記録処理を終了する。
【０１２０】
このように、本実施の形態では、カードＫの後端部の形状に応じて、カードＫの搬送速度を調整することによりカードＫの搬送速度を調整する。これにより、尾引が発生し易い状態のときにカードＫの搬送速度を調整することにより、転写フィルム４６が切れることを抑制することができる。
【０１２１】
また、本実施の形態によれば、センサＳｅ４及びセンサＳｅ５の検出結果に基づいてカードＫの搬送速度を調整することにより、カードＫの搬送速度を自動で調整することができる。
【０１２２】
また、本実施の形態によれば、反射型センサであるセンサＳｅ４及びセンサＳｅ５によってカードＫの後端部の形状を判定することにより、カードＫの後端部の形状を早期に判定することができる。
【０１２３】
また、本実施の形態によれば、センサＳｅ４の検出結果とセンサＳｅ５の検出結果とを比較してカードＫの後端部の形状を判定することにより、カードＫの後端部の形状を精度良く判定することができる。
【０１２４】
また、本実施の形態によれば、検出時間（Ｔ２−Ｔ１）に応じてカードＫの後端部の形状を判定することにより、カードＫの後端部の形状を簡易な方式で判定することができる。
【０１２５】
（実施の形態３）
本発明の実施の形態３に係る画像記録装置の構成は、図６の構成よりセンサＳｅ５を削除する以外は図６と同一構成であるため、その説明を省略する。
【０１２６】
＜画像記録処理＞
本発明の実施の形態３に係る画像記録処理について、図１０を参照しながら、詳細に説明する。
【０１２７】
まず、画像記録装置は、パソコン等の上位装置から印刷データを受信する（Ｓ４１）。
【０１２８】
次に、画像記録装置は、カードＫをカード供給部Ｃから一枚ずつ反転ユニットＦに供給する（Ｓ４２）。この際に、制御ＣＰＵ７０は、転写ローラ３３を発熱させて所定の温度に保持する。
【０１２９】
次に、制御ＣＰＵ７０は、カード搬送制御部７５を介して搬入経路搬送モータ制御回路７５ｂを制御して、搬送ローラ２９及び搬送ローラ３０によってカードＫの搬送を開始する（Ｓ４３）。
【０１３０】
次に、センサＳｅ４は、光を出射し、出射した光の反射光を検出する。これにより、センサＳｅ４は、カードの先端又は後端が読み取り位置まで搬送された際に、カードの片面の端部を自動で検出する（Ｓ４４）。
【０１３１】
次に、制御ＣＰＵ７０は、センサＳｅ４から入力される信号の値が変化し始めた時点をＴ１とすると共に一定になり始めた時点をＴ２とした際に、Ｔ１からＴ２までの検出時間（Ｔ２−Ｔ１）を算出する。そして、制御ＣＰＵ７０は、センサＳｅ４から入力された信号より算出したＴ１からＴ２までの検出時間が所定の閾値以上であるか否かを判定する（Ｓ４５）。
【０１３２】
ここで、バリ面のＴ１からＴ２までの検出時間は、例えば、センサＳｅ４から制御ＣＰＵ７０に入力される信号の値が変化し始めてから一定になり始めるまでの距離が０．１ｍｍ、搬送速度が２５ｍｍ／ｓｅｃである場合に、４μｓｅｃになる。一方、ダレ面のＴ１からＴ２までの検出時間は、例えば、センサＳｅ４から制御ＣＰＵ７０に入力される信号の値が変化し始めてから一定になり始めるまでの距離が１ｍｍである場合に上記と同様に算出すると４０μｓｅｃとなる。これより、閾値は、センサＳｅ４から制御ＣＰＵ７０に入力される信号の値が変化し始めてから一定になり始めるまでの距離が１ｍｍ以上の場合をダレ面とした場合に、４０μｓｅｃに設定される。
【０１３３】
制御ＣＰＵ７０は、算出したＴ１からＴ２までの検出時間が閾値未満の場合に（Ｓ４５：Ｎｏ）、バリ面と判断する。そして、制御ＣＰＵ７０は、転写フィルム４６及びインクリボン４１をサーマルヘッド４０及びプラテンローラ４５で圧接及び加熱して、転写フィルム４６に画像を形成する一次転写を行う（Ｓ４６）。
【０１３４】
次に、制御ＣＰＵ７０は、二次転写を開始する（Ｓ４７）。
【０１３５】
次に、制御ＣＰＵ７０は、カード搬送制御部７５を介して搬入経路搬送モータ制御回路７５ｂ及び搬出経路搬出モータ制御回路７５ｃを制御して、カードＫの搬送速度をＶ１にする（Ｓ４８）。搬送速度Ｖ１は、例えば２５．０ｍｍ／ｓｅｃである。
【０１３６】
一方、制御ＣＰＵ７０は、算出したＴ１からＴ２までの検出時間が閾値以上の場合に（Ｓ４５：Ｙｅｓ）、ダレ面と判断する。そして、制御ＣＰＵ７０は、転写フィルム４６及びインクリボン４１をサーマルヘッド４０及びプラテンローラ４５で圧接及び加熱して、転写フィルム４６に画像を形成する一次転写を行う（Ｓ４９）。
【０１３７】
次に、制御ＣＰＵ７０は、二次転写を開始する（Ｓ５０）。
【０１３８】
次に、制御ＣＰＵ７０は、カード搬送制御部７５を介して搬入経路搬送モータ制御回路７５ｂ及び搬出経路搬出モータ制御回路７５ｃを制御して、カードＫの搬送速度をＶ２にする（Ｓ５１）。ここで、搬送速度Ｖ２は、搬送速度Ｖ１よりも大きい（Ｖ２＞Ｖ１）。搬送速度Ｖ２は、例えば２６．５ｍｍ／ｓｅｃである。
【０１３９】
そして、制御ＣＰＵ７０は、二次転写を終了する（Ｓ５２）。
【０１４０】
制御ＣＰＵ７０は、ステップＳ４７又はステップＳ５０で二次転写を開始してからステップＳ５２で二次転写を終了するまでの間に、転写フィルム４６及びカードＫを転写プラテン３１及び転写ローラ３３で圧接及び加熱して、カードＫに画像を形成する。
【０１４１】
次に、制御ＣＰＵ７０は、ステップＳ４１で受信した印刷データに基づいて、カードの裏面の印刷は不要であるか否かを判定する（Ｓ５３）。
【０１４２】
制御ＣＰＵ７０は、カードの裏面の印刷が必要である場合に（Ｓ５３：Ｎｏ）、ステップＳ４５の処理に戻る。
【０１４３】
一方、画像記録装置は、カードの裏面の印刷が不要の場合に（Ｓ５３：Ｙｅｓ）、カードＫを排出し（Ｓ３３）、カードＫの発行を終了し（Ｓ３４）、その後に画像記録処理を終了する。
【０１４４】
このように、本実施の形態では、カードＫの後端部の形状に応じて、カードＫの搬送速度を調整することによりカードＫの搬送速度を調整する。これにより、尾引が発生し易い状態のときにカードＫの搬送速度を調整することにより、転写フィルム４６が切れることを抑制することができる。
【０１４５】
また、本実施の形態によれば、センサＳｅ４の検出結果に基づいてカードＫの搬送速度を調整することにより、カードＫの搬送速度を自動で調整することができる。
【０１４６】
また、本実施の形態によれば、反射型センサであるセンサＳｅ４によってカードＫの後端部の形状を判定することにより、カードＫの後端部の形状を早期に判定することができる。
【０１４７】
また、本実施の形態によれば、検出時間（Ｔ２−Ｔ１）に応じてカードＫの後端部の形状を判定することにより、カードＫの後端部の形状を簡易な方式で判定することができる。
【０１４８】
（実施の形態４）
本発明の実施の形態４に係る画像記録装置の構成は、図６の構成よりセンサＳｅ５を削除する以外は図６と同一構成であるため、その説明を省略する。
【０１４９】
＜画像記録処理＞
本発明の実施の形態４に係る画像記録処理について、図１１を参照しながら、詳細に説明する。
【０１５０】
なお、図１１において、図１０と同一処理である部分については同一符号を付して、その説明を省略する。
【０１５１】
次に、制御ＣＰＵ７０は、ステップＳ４１で受信した印刷データに基づいて、カードの裏面の印刷は不要であるか否かを判定する（Ｓ５３）。
【０１５２】
制御ＣＰＵ７０は、カードの裏面の印刷が必要である場合に（Ｓ５３：Ｎｏ）、カードの一方の面である表面について設定された搬送速度Ｖ１を、カードの他方の面である裏面については搬送速度Ｖ２を設定する（Ｓ６１）。または、制御ＣＰＵ７０は、カードの裏面の印刷が必要である場合に（Ｓ５３：Ｎｏ）、カードの一方の面である表面について設定された搬送速度Ｖ２を、カードの他方の面である裏面については搬送速度Ｖ１を設定する（Ｓ６１）。そして次に、制御ＣＰＵ７０は、ステップＳ５４の処理を行う。
【０１５３】
制御ＣＰＵ７０は、カードの表面がダレ面である場合には裏面はバリ面であると判断し、カードの表面がバリ面である場合には裏面はダレ面であると判断して、上記ステップＳ６１の処理を行う。これにより、カードＫの搬送速度を調整する際の処理負荷を軽減することができる。
【０１５４】
このように、本実施の形態では、カードＫの後端部の形状に応じて、カードＫの搬送速度を調整することによりカードＫの搬送速度を調整する。これにより、尾引が発生し易い状態のときにカードＫの搬送速度を調整することにより、転写フィルム４６が切れることを抑制することができる。
【０１５５】
また、本実施の形態によれば、センサＳｅ４の検出結果に基づいてカードＫの搬送速度を調整することにより、カードＫの搬送速度を自動で調整することができる。
【０１５６】
また、本実施の形態によれば、反射型センサであるセンサＳｅ４によってカードＫの後端部の形状を判定することにより、カードＫの後端部の形状を早期に判定することができる。
【０１５７】
また、本実施の形態によれば、検出時間（Ｔ２−Ｔ１）に応じてカードＫの後端部の形状を判定することにより、カードＫの後端部の形状を簡易な方式で判定することができる。
【０１５８】
（実施の形態５）
本発明の実施の形態５に係る画像記録装置の構成は、図６の構成よりセンサＳｅ５を削除する以外は図６と同一構成であるため、その説明を省略する。
【０１５９】
＜画像記録処理＞
本発明の実施の形態５に係る画像記録処理について、図１２を参照しながら、詳細に説明する。
【０１６０】
まず、画像記録装置は、パソコン等の上位装置から印刷データを受信する（Ｓ７１）。
【０１６１】
次に、画像記録装置は、カードＫをカード供給部Ｃから一枚ずつ反転ユニットＦに供給する（Ｓ７２）。この際に、制御ＣＰＵ７０は、転写ローラ３３を発熱させて所定の温度に保持する。
【０１６２】
次に、制御ＣＰＵ７０は、カード搬送制御部７５を介して搬入経路搬送モータ制御回路７５ｂを制御して、搬送ローラ２９及び搬送ローラ３０によってカードＫの搬送を開始する（Ｓ７３）。
【０１６３】
次に、センサＳｅ４は、光を出射し、出射した光の反射光を検出する。これにより、センサＳｅ４は、カードの先端又は後端が読み取り位置まで搬送された際に、カードの片面の端部を自動で検出する（Ｓ７４）。
【０１６４】
次に、制御ＣＰＵ７０は、センサＳｅ４から入力される信号の値が変化し始めた時点をＴ１とすると共に一定になり始めた時点をＴ２とした際に、Ｔ１からＴ２までの検出時間（Ｔ２−Ｔ１）を算出する。そして、制御ＣＰＵ７０は、算出したＴ１からＴ２までの検出時間に応じたカードの搬送速度Ｖ３を決定する（Ｓ７５）。
【０１６５】
具体的には、ＲＯＭ７１は、Ｔ１からＴ２までの検出時間とカードの搬送速度Ｖ３とを対応付けた図１３に一例として示すテーブルを予め記憶している。そして、制御ＣＰＵ７０は、ＲＯＭ７１に記憶しているテーブルにおいて、算出したＴ１からＴ２までの検出時間に対応付けられているパラメータとしてのカードの搬送速度Ｖ３を決定する。このようなテーブルを用いてカードの搬送速度を調整することにより、カードの搬送速度を早期に調整することができる。
【０１６６】
次に、制御ＣＰＵ７０は、転写フィルム４６及びインクリボン４１をサーマルヘッド４０及びプラテンローラ４５で圧接及び加熱して、転写フィルム４６に画像を形成する一次転写を行う（Ｓ７６）。
【０１６７】
次に、制御ＣＰＵ７０は、二次転写を開始する（Ｓ７７）。
【０１６８】
次に、制御ＣＰＵ７０は、カード搬送制御部７５を介して搬入経路搬送モータ制御回路７５ｂ及び搬出経路搬出モータ制御回路７５ｃを制御して、カードＫを搬送速度Ｖ３で搬送する（Ｓ７８）。
【０１６９】
そして、制御ＣＰＵ７０は、二次転写を終了する（Ｓ７９）。
【０１７０】
制御ＣＰＵ７０は、ステップＳ７７で二次転写を開始してからステップＳ７９で二次転写を終了するまでの間に、転写フィルム４６及びカードＫを転写プラテン３１及び転写ローラ３３で圧接及び加熱して、カードＫに画像を形成する二次転写を行う。
【０１７１】
次に、画像記録装置は、カードＫを排出し（Ｓ８０）、カードＫの発行を終了し（Ｓ８１）、その後に画像記録処理を終了する。
【０１７２】
このように、本実施の形態では、カードＫの後端部の形状に応じて、カードＫの搬送速度を調整することによりカードＫの搬送速度を調整する。これにより、尾引が発生し易い状態のときにカードＫの搬送速度を調整することにより、転写フィルム４６が切れることを抑制することができる。
【０１７３】
また、本実施の形態によれば、センサＳｅ４の検出結果に基づいてカードＫの搬送速度を調整することにより、カードＫの搬送速度を自動で調整することができる。
【０１７４】
また、本実施の形態によれば、反射型センサであるセンサＳｅ４によってカードＫの後端部の形状を判定することにより、カードＫの後端部の形状を早期に判定することができる。
【０１７５】
また、本実施の形態によれば、検出時間（Ｔ２−Ｔ１）に応じてカードＫの後端部の形状を判定することにより、カードＫの後端部の形状を簡易な方式で判定することができる。
【０１７６】
（実施の形態６）
本発明の実施の形態６に係る画像記録装置の構成は図１と同一構成であるため、その説明を省略する。
【０１７７】
＜画像記録処理＞
本発明の実施の形態６に係る画像記録処理について、図１４を参照しながら、詳細に説明する。
【０１７８】
まず、画像記録装置は、パソコン等の上位装置から印刷データを受信する（Ｓ９１）。
【０１７９】
次に、画像記録装置は、カードＫをカード供給部Ｃから一枚ずつ反転ユニットＦに供給する（Ｓ９２）。
【０１８０】
次に、制御ＣＰＵ７０は、カード搬送制御部７５を介して搬入経路搬送モータ制御回路７５ｂを制御して、搬送ローラ２９及び搬送ローラ３０によってカードＫの搬送を開始する（Ｓ９３）。
【０１８１】
次に、制御ＣＰＵ７０は、一次転写及び二次転写を開始し（Ｓ９４）、その後に終了する（Ｓ９５）。
【０１８２】
次に、画像記録装置は、カードＫを排出する（Ｓ９６）。
【０１８３】
次に、制御ＣＰＵ７０は、カード搬送速度を変更する設定がなされたか否かを判定する（Ｓ９７）。カード搬送速度の変更は、画像記録装置に接続されているドライバー又は画像記録装置に設けられている操作パネルによって設定される。また、カード搬送速度を変更する設定は、ユーザーが行う。
【０１８４】
制御ＣＰＵ７０は、カード搬送速度を変更する設定がなされた場合に（Ｓ９７：Ｙｅｓ）、カード搬送速度を０．５ｍｍ／ｓｅｃ速くし（Ｓ９８）、その後にステップＳ９２の処理に戻る。このように、ユーザーは、転写後のカードの尾引きの量（程度）を確認し、その確認結果に応じてカード搬送速度を段階的に変更することができる。
【０１８５】
一方、制御ＣＰＵ７０は、カード搬送速度を変更する設定がなされてない場合に（Ｓ９７：Ｎｏ）、カードＫの発行を終了し（Ｓ９９）、その後に画像記録処理を終了する。
【０１８６】
このように、本実施の形態では、カードＫの後端部の形状に応じて、カードＫの搬送速度を調整することによりカードＫの搬送速度を調整する。これにより、尾引が発生し易い状態のときにカードＫの搬送速度を調整することにより、転写フィルム４６が切れることを抑制することができる。
【０１８７】
本発明は上記実施の形態に限定されるものではなく、その要旨を逸脱しない範囲で種々変形可能であることは言うまでもない。
【０１８８】
具体的には、上記実施の形態１から実施の形態６において、カードＫの搬送速度を調整したが、転写フィルム４６の搬送速度を調整してもよいし、カードＫの搬送速度と転写フィルム４６の搬送速度との両方を調整してもよい。
【０１８９】
また、上記実施の形態１から実施の形態６において、カードの後端部がダレている形状である場合にカードＫの搬送速度を調整したが、カードの後端部がダレている形状以外の負荷がかけられない形状である場合にカードＫの搬送速度を調整してもよい。
【０１９０】
また、上記実施の形態１から実施の形態６において、カードＫの後端部がダレている場合にカードＫの搬送速度を速くしたが、カードＫの後端部がダレている場合に転写フィルム４６の搬送速度を遅くしてもよい。
【符号の説明】
【０１９１】
Ａ  情報記録部
Ｂ  画像形成部
Ｃ  カード供給部
Ｄ  カード収容部
Ｆ  反転ユニット
Ｈ  制御部
１  画像記録装置
３  カードカセット
９  分離ローラ
１９  ピックアップローラ
２０  ローラ対
２１  ローラ対
２２  搬入ローラ
２９  搬送ローラ
３０  搬送ローラ
３１  転写プラテン
３２ａ  ピンチローラ
３２ｂ  ピンチローラ
３３  転写ローラ
３４ａ  ガイドコロ
３４ｂ  剥離コロ
３６  デカール機構
３７  搬送ローラ
３８  搬送ローラ
４０  サーマルヘッド
４１  インクリボン
４２  インクリボンカセット
４３  操出ロール
４４  巻取ロール
４５  プラテンローラ
４６  転写フィルム
４７  供給スプール
４８  巻取スプール
４９  移送ローラ
５０  フィルムカセット
５１  支持ピン
５５  収容スタッカ
５６  昇降機構
７０  制御ＣＰＵ
７１  ＲＯＭ
７２  ＲＡＭ
７３  データ入力制御部
７４  画像形成制御部
７４ａ  ヘッドコントロール用ＩＣ
７４ｄ  シフトモータドライブ回路
７４ｅ  シフトカム
７４ｆ  転写ローラ昇降部
７４ｇ  ドライブカム
７４ｈ  剥離コロ昇降部
７５  カード搬送制御部
７５ａ  反転ユニット旋回モータ制御回路
７５ｂ  搬入経路搬送モータ制御回路
７５ｃ  搬出経路搬出モータ制御回路
７６  印刷データ入出力部
１００  画像記録装置
Ｍｒ１  インクリボンワインドモータ
Ｍｒ２  転写フィルムワインドモータ
Ｓｅ１  センサ
Ｓｅ２  センサ
Ｓｅ３  センサ
Ｓｅ４  センサ
Ｓｅ５  センサ
【図１】
2020082428.tif 000003
【図２】
2020082428.tif 000004
【図３】
2020082428.tif 000005
【図４】
2020082428.tif 000006
【図５】
2020082428.tif 000007
【図６】
2020082428.tif 000008
【図７】
2020082428.tif 000009
【図８】
2020082428.tif 000010
【図９】
2020082428.tif 000011
【図１０】
2020082428.tif 000012
【図１１】
2020082428.tif 000013
【図１２】
2020082428.tif 000014
【図１３】
2020082428.tif 000015
【図１４】
2020082428.tif 000016